(57)【特許請求の範囲】
【請求項１】
プラグの栓刃が接続される刃受け部材を収納した器体と、
前記器体の表面に操作部位を露出させた状態で前記器体に収納され、前記刃受け部材に給電する状態と給電を停止する状態とを切り替えるために操作される操作部と、
給電状態及び給電停止状態をそれぞれ表示する第１表示部及び第２表示部を有し、前記操作部に設けられた表示窓に前記第１表示部が臨む位置と、前記表示窓に前記第２表示部が臨む位置との間でスライド移動自在に前記操作部に設けられた表示体と、
前記器体に収納され外部電源から前記刃受け部材への給電経路に設けられた接点と、
前記器体に収納され前記操作部の操作に応じて前記接点のオン状態及びオフ状態を切り替える開閉機構と、
前記第１表示部及び前記第２表示部のうち何れか一方の表示部が前記表示窓に臨む位置に前記表示体をスライド移動させる押力を前記表示体に常時付与する押圧部材と、
前記開閉機構によって、前記一方の表示部に対応した接点状態とは異なる状態に前記接点が切り替えられると、前記操作部側に移動し、前記押圧部材の押力に抗して前記表示体を反対方向にスライド移動させる駆動部とを備えたことを特徴とするマルチタップ。
【請求項２】
前記操作部は、ユーザの押操作に応じて前記器体の内側に押し込まれる押釦からなり、
前記開閉機構が、固定接点と、可動接点が設けられた可動接触子と、前記押釦が前記器体の内側に押し込まれると前記押釦を前記器体の外側に押し返す弾性力を前記押釦に作用させるバネ部材と、前記可動接点が前記固定接点と接触する位置及び前記可動接点が前記固定接点から開離する位置の何れかに前記可動接触子を駆動する駆動子と、前記押釦が押し込まれるごとに前記駆動子を反転駆動させるカム部材とを備え、
前記押釦が、前記バネ部材と前記カム部材と前記表示体とを保持することを特徴とする請求項１に記載のマルチタップ。
【請求項３】
プラグの栓刃が接続される刃受け部材を収納した器体と、
前記器体の表面に操作部位を露出させた状態で前記器体に収納され、前記刃受け部材に給電する状態と給電を停止する状態とを切り替えるために操作される操作部と、
給電状態及び給電停止状態をそれぞれ表示する第１表示部及び第２表示部を有し、前記操作部に設けられた表示窓に前記第１表示部が臨む位置と、前記表示窓に前記第２表示部が臨む位置との間でスライド移動自在に前記操作部に設けられた表示体と、
前記器体に収納され外部電源から前記刃受け部材への給電経路に設けられた接点と、
前記器体に収納され前記操作部の操作に応じて前記接点のオン状態及びオフ状態を切り替える開閉機構とを備え、
前記操作部は、ユーザの押操作に応じて前記器体の内側に押し込まれる押釦からなり、
前記開閉機構は、固定接点と、可動接点が設けられた可動接触子と、前記押釦が前記器体の内側に押し込まれると前記押釦を前記器体の外側に押し返す弾性力を前記押釦に作用させるバネ部材と、前記可動接点が前記固定接点と接触する位置及び前記可動接点が前記固定接点から開離する位置の何れかに前記可動接触子を駆動する駆動子と、前記押釦が押し込まれるごとに前記駆動子を反転駆動させるカム部材とを備え、
前記押釦は、前記バネ部材と前記カム部材と前記表示体とを保持することを特徴とするマルチタップ。
【請求項４】
プラグの栓刃が接続される刃受け部材を収納した器体と、
前記器体の表面に操作部位を露出させた状態で前記器体に収納され、前記刃受け部材に給電する状態と給電を停止する状態とを切り替えるために操作される操作部と、
給電状態及び給電停止状態をそれぞれ表示する第１表示部及び第２表示部を有し、前記操作部に設けられた表示窓に前記第１表示部が臨む位置と、前記表示窓に前記第２表示部が臨む位置との間でスライド移動自在に前記操作部に設けられた表示体とを備え、
前記表示体をスライド移動自在に収納する収納溝が前記操作部に設けられ、前記収納溝の内壁には、前記表示体と係合する凸部が前記表示体のスライド方向に沿って設けられたことを特徴とするマルチタップ。
【請求項５】
前記表示体をスライド移動自在に収納する収納溝が前記操作部に設けられ、前記収納溝の内壁には、前記表示体と係合する凸部が前記表示体のスライド方向に沿って設けられたことを特徴とする請求項１乃至３の何れか１項に記載のマルチタップ。
【請求項６】
前記第１表示部及び前記第２表示部のうち少なくとも何れか一方の表示部が蓄光材料で形成されたことを特徴とする請求項１乃至５の何れか１項に記載のマルチタップ。
【請求項７】
前記第１表示部及び前記第２表示部は、２色成型法を用いて前記表示体と一体に形成されたことを特徴とする請求項１乃至５の何れか１項に記載のマルチタップ。
【発明の詳細な説明】
【技術分野】
【０００１】
本発明は、マルチタップに関するものである。
【背景技術】
【０００２】
従来、プラグが着脱自在に接続されるプラグ接続口を複数備え、各プラグ接続口に対応して電源供給を入り切りするためのスイッチが設けられたテーブルタップがあった（例えば特許文献１参照）。
【先行技術文献】
【特許文献】
【０００３】
【特許文献１】特開２００４−２２１０３５号公報
【発明の概要】
【発明が解決しようとする課題】
【０００４】
上述した従来のテーブルタップは、プラグ接続口にプラグが接続されている負荷の不使用時に、対応するスイッチをオフさせることによって、負荷への給電を停止し、負荷で消費される待機電力の低減を図っていた。そのため、スイッチの消し忘れが容易に判別できるように、スイッチのオン状態とオフ状態を容易に判別できるようにしたいという要求があった。一方、スイッチがオン状態であるかオフ状態であるかを表示する構成を付加すると、部品が増加して、製造コストが高くなるという問題もある。
【０００５】
本発明は上記課題に鑑みて為されたものであり、その目的とするところは、負荷への電源供給をオン／オフするスイッチの状態が容易に判別できる安価なマルチタップを提供することにある。
【課題を解決するための手段】
【０００６】
上記課題を解決するために、本願のマルチタップは、器体と、操作部と、表示体と、接点と、開閉機構と、押圧部材と、駆動部とを備える。器体は、プラグの栓刃が接続される刃受け部材を収納する。操作部は、器体の表面に操作部位を露出させた状態で器体に収納され、刃受け部材に給電する状態と給電を停止する状態とを切り替えるために操作される。表示体は、給電状態及び給電停止状態をそれぞれ表示する第１表示部及び第２表示部を有し、操作部に設けられた表示窓に第１表示部が臨む位置と、表示窓に第２表示部が臨む位置との間でスライド移動自在に操作部に設けられている。接点は、器体に収納され外部電源から刃受け部材への給電経路に設けられる。開閉機構は、器体に収納され操作部の操作に応じて接点のオン状態及びオフ状態を切り替える。押圧部材は、第１表示部及び第２表示部のうち何れか一方の表示部が表示窓に臨む位置に表示体をスライド移動させる押力を表示体に常時付与する。駆動部は、開閉機構によって、一方の表示部に対応した接点状態とは異なる状態に接点が切り替えられると、操作部側に移動し、押圧部材の押力に抗して表示体を反対方向にスライド移動させる。
【０００７】
このマルチタップにおいて、操作部は、ユーザの押操作に応じて器体の内側に押し込まれる押釦からなり、開閉機構が、固定接点と、可動接点が設けられた可動接触子と、押釦が器体の内側に押し込まれると押釦を器体の外側に押し返す弾性力を押釦に作用させるバネ部材と、可動接点が固定接点と接触する位置及び可動接点が固定接点から開離する位置の何れかに可動接触子を駆動する駆動子と、押釦が押し込まれるごとに駆動子を反転駆動させるカム部材とを備え、押釦が、バネ部材とカム部材と表示体とを保持することも好ましい。
【０００８】
本願の別のマルチタップは、器体と、操作部と、表示体と、接点と、開閉機構とを備える。器体は、プラグの栓刃が接続される刃受け部材を収納する。操作部は、器体の表面に操作部位を露出させた状態で器体に収納され、刃受け部材に給電する状態と給電を停止する状態とを切り替えるために操作される。表示体は、給電状態及び給電停止状態をそれぞれ表示する第１表示部及び第２表示部を有し、操作部に設けられた表示窓に第１表示部が臨む位置と、表示窓に第２表示部が臨む位置との間でスライド移動自在に操作部に設けられている。接点は、器体に収納され外部電源から刃受け部材への給電経路に設けられる。操作部は、ユーザの押操作に応じて器体の内側に押し込まれる押釦からなる。開閉機構は、器体に収納され操作部の操作に応じて接点のオン状態及びオフ状態を切り替える。開閉機構は、固定接点と、可動接点が設けられた可動接触子と、押釦が器体の内側に押し込まれると押釦を器体の外側に押し返す弾性力を押釦に作用させるバネ部材と、可動接点が固定接点と接触する位置及び可動接点が固定接点から開離する位置の何れかに可動接触子を駆動する駆動子と、押釦が押し込まれるごとに駆動子を反転駆動させるカム部材とを備える。押釦は、バネ部材とカム部材と表示体とを保持することを特徴とする。
【０００９】
本願のまた別のマルチタップは、器体と、操作部と、表示体とを備える。器体は、プラグの栓刃が接続される刃受け部材を収納する。操作部は、器体の表面に操作部位を露出させた状態で器体に収納され、刃受け部材に給電する状態と給電を停止する状態とを切り替えるために操作される。表示体は、給電状態及び給電停止状態をそれぞれ表示する第１表示部及び第２表示部を有し、操作部に設けられた表示窓に第１表示部が臨む位置と、表示窓に第２表示部が臨む位置との間でスライド移動自在に操作部に設けられる。表示体をスライド移動自在に収納する収納溝が操作部に設けられ、収納溝の内壁には、表示体と係合する凸部が表示体のスライド方向に沿って設けられたことを特徴とする。
【００１０】
このマルチタップにおいて、表示体をスライド移動自在に収納する収納溝が操作部に設けられ、収納溝の内壁には、表示体と係合する凸部が表示体のスライド方向に沿って設けられることも好ましい。
【００１１】
このマルチタップにおいて、第１表示部及び第２表示部のうち少なくとも何れか一方の表示部が蓄光材料で形成されることも好ましい。
【００１２】
このマルチタップにおいて、第１表示部及び第２表示部は、２色成型法を用いて表示体と一体に形成されることも好ましい。
【発明の効果】
【００１３】
本発明によれば、負荷への電源供給をオン／オフするスイッチの状態が容易に判別できる安価なマルチタップを提供することができる。
【図面の簡単な説明】
【００１４】
【図１】本実施形態の刃受けブロックの分解斜視図である。
【図２】同上の分解斜視図である。
【図３】（ａ）は同上の平面図、（ｂ）は同上の側面図である。
【図４】同上の斜視図である。
【図５】同上の刃受けブロックの分解斜視図である。
【図６】同上の押釦を示し、（ａ）は上側から見た斜視図、（ｂ）は下側から見た斜視図である。
【図７】同上の押釦の下面図である。
【図８】同上の押釦の断面図である。
【図９】同上の断面図である。
【図１０】同上の接点の切替動作を説明する断面図であり、（ａ）はオフ状態の断面図、（ｂ）はオン状態及びオフ状態の間の状態を示す断面図、（ｃ）はオン状態の断面図である。
【図１１】（ａ）（ｂ）は同上の表示体の斜視図である。
【発明を実施するための形態】
【００１５】
以下、本願をテーブルタップに適用した実施形態を図１〜図１１に基づいて説明する。尚、以下ではテーブルタップを例に説明するが、吊り下げて使用されるペンダント型のマルチタップや、電源コードの代わりに電源用刃が設けられた差込式マルチタップに本願を適用しても良いことは言うまでもない。また、以下の説明ではプラグが接続される刃受けブロックを３口備えているが、刃受けブロックの数は３個に限定されるものではなく、複数の刃受けブロックを備えていればよい。
【００１６】
本実施形態のテーブルタップは例えば机や床に置いて使用されるものである。以下の説明では特に断りがないかぎり、使用状態における上下（すなわち図３（ｂ）の上下）を上下方向とし、図３（ｂ）における左右を左右方向とし、図３（ｂ）の紙面に垂直な方向を前後方向とし、図３（ａ）の下側を前側として説明を行う。
【００１７】
テーブルタップの器体１は、図２〜図４に示すように、細長の直方体状に形成されており、ボディ２と上カバー３と中カバー４とで構成される。
【００１８】
ボディ２は合成樹脂成形品からなり、上面が開口した略矩形箱状に形成されている。上カバー３は合成樹脂成形品からなり、下面が開口した略矩形箱状に形成されている。中カバー４は合成樹脂成形品からなり、後面が開口した略矩形箱状に形成されている。中カバー４の前面には、前方から見た形状が略矩形状の突台５が左右及び中央の３箇所に設けられている。各突台５には、図示しないプラグの平行栓刃が挿入される栓刃挿入口６が２個ずつ形成されている。中カバー４は、ボディ２と上カバー３とで囲まれる空間に、突台５を前面側に向けた状態で収納されている。ボディ２の前側壁には、対応する突台５の下側部が挿入される凹溝７が３箇所に設けられている。同様に上カバー３の前側壁にも、対応する突台５の上側部が挿入される凹溝８が３箇所に設けられている。
【００１９】
上カバー３の開口縁には、ボディ２に形成された溝９に係合する爪１０が数カ所に設けられており、ボディ２の開口を塞ぐようにしてボディ２に上カバー３を被せると、爪１０が溝９に係合することによって、上カバー３がボディ２に仮固定される。そして、ボディ２に設けられた貫通孔１１に通されたネジ１２を、上カバー３に設けられたネジ穴（図示せず）にねじ込むことによって、ボディ２と上カバー３とが結合される。
【００２０】
この器体１の内部には、３個の刃受けブロック２０ａ，２０ｂ，２０ｃと、刃受けブロック２０ａ，２０ｂ，２０ｃに電源を供給するための導電板４０ａ，４０ｂとが収納されている。
【００２１】
２本の導電板４０ａ，４０ｂは、それぞれ、導電性の良好な金属（例えば銅合金）により細長い板状に形成されており、長手方向の一端側（左側）にはかしめ片４１ａ，４１ｂが設けられている。器体１の左側面には、外部から電源コード５０を導入するための丸孔状の貫通孔が形成されており、この貫通孔を通して内部に導入された電源コード５０の芯線５１が、それぞれ、かしめ片４１ａ，４１ｂにかしめ固定されている。したがって、電源コード５０の他端側に設けられたプラグ（図示せず）を電源コンセントに接続すると、電源コード５０を介して導電板４０ａ，４０ｂに電源が供給されるのである。尚、電源コード５０において、器体１から外部に導出される部位は、弾性を有する合成樹脂により形成されたブッシング５２で覆われており、電源コード５０が断線しにくくなっている。
【００２２】
次に、刃受けブロック２０ａ，２０ｂ，２０ｃについて説明する。刃受けブロック２０ａ，２０ｂ，２０ｃは同様の構成を有しているので、図１を参照して刃受ブロック２０ａの説明を行い、他の刃受けブロック２０ｂ，２０ｃにおいて刃受けブロック２０ａと共通する構成要素には同一の符号を付して、その説明は省略する。尚、図１では図示を簡略化するため、刃受けブロック２０ａのみを図示している。
【００２３】
刃受けブロック２０ａの器体２１はボディ２２とカバー２３とで構成される。ボディ２２は、耐熱性および耐トラッキング性に優れた熱硬化性樹脂（例えばユリア樹脂など）により上面が開口した略箱状に形成され、その内部は隔壁によって複数の空間に仕切られている。またカバー２３は、耐衝撃性に優れた熱可塑性樹脂（例えばＡＢＳ樹脂など）により形成され、上面が開口した筒状の収納部２３ａを有している。またカバー２３の左右両側部からは下方に向かって組立片２３ｂがそれぞれ突出しており、各組立片２３ｂの穴２３ｃをボディ２２の側壁に設けた突起２２ｈに係合させることで、ボディ２２とカバー２３とは結合される。
【００２４】
カバー２３には、中カバー４と対向する部位に、中カバー４に設けた穴と係合する位置決め用の突起２３ｅが設けられている。またカバー２３の底面には、刃受け部材４５の取付片４７に設けられた穴４７ａと係合する突起２３ｇが設けられている。
【００２５】
ボディ２２の前後方向中央部には、後述の接点部（固定接点４９及び可動接点２５からなる）を収納する収納凹部２２ｆが設けられている。ボディ２２において収納凹部２２ｆよりも前側には、上側及び左右両側に開口したスリット２２ａが形成されており、このスリット２２ａには導電板４０ａが挿入されている。ボディ２２において収納凹部２２ｆよりも後側には、上側及び左右両側に開口したスリット２２ｂが形成されており、このスリット２２ｂには導電板４０ｂが挿入されている。
【００２６】
ボディ２２においてスリット２２ａよりも前側部には、それぞれ上側及び前側が開放された凹部２２ｃ，２２ｄが設けられている。左側の凹部２２ｃには、導電板４０ａの対応する部位に設けられた刃受けばね４２が収納されている。右側の凹部２２ｄには、刃受け部材４５に設けられた刃受けばね４６が収納されている。
【００２７】
刃受け部材４５は、例えば銅合金からなる板金にプレス加工を施して形成される。この刃受け部材４５は、一対のバネ片の間で栓刃を挟む刃受けばね４６を備えている。刃受けばね４６の後部からは矩形板状の取付片４７が後方に延び、この取付片４７はスリット２２ａと凹部２２ｄとの間の隔壁２２ｅ上に載置される。取付片４７の後部からは斜め下向きに固定端子片４８が延びており、この固定端子片４８には、かしめ固定或いはレーザ溶接などの方法で固定接点４９が固着されている。この固定端子片４８は収納凹部２２ｆに挿入され、固定接点４９は収納凹部２２ｆ内に配置される。
【００２８】
導電板４０ｂには、各刃受けブロック２０ａ，２０ｂ，２０ｃの収納凹部２２ｆに対応する部位に、収納凹部２２ｆの底部に配置されるＬ字形の基底片４３が設けられている。
【００２９】
収納凹部２２ｆ内には、導電板からなる可動接点板２４が収納されている。この可動接点板２４には、刃受け部材４５の固定接点４９に対応する位置に可動接点２５が設けられている。可動接点板２４は基底片４３上に配置され、基底片４３との当接部位を支点として前後に回転する。また可動接点板２４の側縁に設けた突起２４ａが収納凹部２２ｆの内壁に設けられたＶ溝２２ｇに挿入されることで、可動接点板２４の回転範囲が規制されている。
【００３０】
この可動接点板２４を駆動する開閉機構２６は、コイルばね２７と、駆動子２８と、スライドカム２９（カム部材）と、板ばね３０と、押釦３１とで構成され、この開閉機構２６について図１、図５〜図１０を参照して説明する。
【００３１】
コイルばね２７の一端側には、可動接点板２４の上部に設けられたバネ受け用の突起２４ｂが挿入される。コイルばね２７の他端側は駆動子２８に設けられた筒部２８ａ内に挿入される。
【００３２】
駆動子２８について図１、図５及び図９を参照して説明する。駆動子２８は合成樹脂成形品からなり、下側に開口した筒部２８ａを備えている。駆動子２８は、両側に設けられた三角形状の軸２８ｂをカバー２３の軸受け溝２３ｄに嵌め込むことによって、カバー２３に対して回転自在に取り付けられる。駆動子２８の上部には、スライドカム２９を押し動かす一対の突起２８ｃ，２８ｄが設けられ、駆動子２８の回転に応じて突起２８ｃ，２８ｄのうちの一方が上側に、他方が下側に位置することになる。そして、上側に位置する突起２８ｃ又は突起２８ｄがスライドカム２９に押されて、駆動子２８が反対側に回転するようになっている。
【００３３】
押釦３１について図１，図６〜図９を参照して説明する。押釦３１は合成樹脂成形品からなり、平面視の形状が略矩形状の上板部３１ｂと、上板部３１ｂの全周から下方に突出する側部３１ｃとを有し、カバー２３の収納部２３ａ内に上下動自在に配置されている。この押釦３１の上板部３１ｂは、上カバー３の上面に設けた窓穴１４から外部に露出しており、窓穴１４を通してユーザが上板部３１ｂの押操作を行えるようになっている。従来のタンブラー型のハンドルを備えたテーブルタップに比べて、押釦３１は上カバー３の上面と略同じ面高さとなっているので、押釦３１が目立たず、意匠性の向上が図られている。
【００３４】
上板部３１ｂの裏面にはスライドカム２９が取り付けられている。スライドカム２９は合成樹脂により四角枠状に形成されている。スライドカム２９の４辺のうち、駆動子２８の回転方向において対向する２辺には、駆動子２８の突起２８ｃ及び突起２８ｄがそれぞれ係合するカム部２９ａ及びカム部２９ｂが設けられている。またスライドカム２９の残りの２辺のうち、一方の辺からは、一対のバネ片２９ｃ，２９ｄが、他方の辺に向かって突出しており、両バネ片２９ｃ，２９ｄは先端にいくほど互いの距離が短くなるように斜めに突出している。両バネ片２９ｃ，２９ｄの間には、上板部３１ｂの裏面に設けられた突起が挿入されている。駆動子２８が図９中の右回りに回転している状態で、押釦３１の下降に伴ってスライドカム２９が下降すると、上側に位置する突起２８ｃを対応するカム部２９ａが押すことによって、スライドカム２９は前方に移動する。このとき、後側のバネ片２９ｃが上板部３１ｂ裏面の突起によって撓められることになり、バネ片２９ｃのバネ力によってスライドカム２９を中央位置に戻す復元力が発生する。また駆動子２８が図９中の左回りに回転している状態で、押釦３１の下降に伴ってスライドカム２９が下降すると、上側に位置する突起２８ｄを対応するカム部２９ｂが押すことによって、スライドカム２９は後方に移動する。このとき、前側のバネ片２９ｄが上板部３１ｂ裏面の突起によって撓められることになり、バネ片２９ｄのバネ力によってスライドカム２９を中央位置に戻す復元力が発生する。
【００３５】
収納部２３ａの底部と押釦３１の間には板ばね３０が配置され、この板ばね３０によって押釦３１は上向きの弾性力を常に受けている。押釦３１の側部３１ｃには、収納部２３ａの内壁に設けられた溝２３ｆと係合する突起３１ｄが左右に１個ずつ設けられており、突起３１ｄと溝２３ｆとが係合することで、押釦３１が外れないようになっている。ここで、スライドカム２９を上板部３１ｂの下面に保持させた状態で、板ばね３０の穴３０ａに、上板部３１ｂの裏面に設けられた突起３１ｅを圧入することによって、板ばね３０が押釦３１に固定されている。板ばね３０が押釦３１に固定された状態では、板ばね３０と上板部３１ｂの間にスライドカム２９が保持されるので、押釦３１と板ばね３０とスライドカム２９とを一つの部品として取り扱うことができ、最終組立を行うときの部品数を少なくできる。
【００３６】
また上板部３１ｂの下面側に設けられた収納溝３１ｈには、刃受けばね４２，４６への給電状態を表示する表示体３２がスライド移動自在に取り付けられている（図７及び図８参照）。収納溝３１ｈの内壁には、表示体３２と係止する凸部３１ｇが、表示体３２の移動方向に沿って設けられており、凸部３１ｇが表示体３２の側面に係止することで、表示体３２が収納溝３１ｈの溝内にスライド移動自在な状態で保持されている。上板部３１ｂには表示体３２の一部を露出させる表示窓３１ａが設けられている。尚、表示窓３１ａは透明な合成樹脂からなる蓋で閉塞されている。
【００３７】
表示体３２の上面は、スライド方向における片側の半分が給電状態を表示するＯＮ表示部３２ａとなり、反対側の半分が給電停止状態を表示するＯＦＦ表示部３２ｂとなっている。ＯＮ表示部３２ａとＯＦＦ表示部３２ｂとは色などを異ならせており、容易に判別できるようになっている。
【００３８】
表示体３２は、図１０（ｃ）に示すように表示窓３１ａにＯＮ表示部３２ａが臨むＯＮ位置と、図１０（ａ）に示すように表示窓３１ａにＯＦＦ表示部３２ｂが臨むＯＦＦ位置との間でスライド移動自在となっている。表示体３２は、図７及び図１０に示すようにコイルばね３３によってＯＦＦ位置に移動する方向の弾性力を常時受けている。表示体３２の下部には、ＯＮ表示部３２ａ側の端から他方の端に近付くにつれて、斜め下向きに傾斜するテーパ面３２ｃが形成されている。図９に示すように駆動子２８には、表示体３２の取付位置に向かって延びるＬ字形のアーム２８ｅが一体に設けられている。アーム２８ｅは駆動子２８の回転に応じて上下動し、アーム２８ｅが上側に移動すると表示体３２のテーパ面３２ｃを押し、アーム２８ｅが下側に移動すると表示体３２のテーパ面３２ｃから離れるようになっている。ここで、図１０（ａ）は接点のオフ状態を示しており、駆動子２８の回転に応じてアーム２８ｅが下降しているので、コイルばね３３のバネ力を受けて、表示体３２はＯＦＦ位置に移動し、表示窓３１ａからＯＦＦ表示部３２ｂが露出する。図１０（ｂ）は、接点をオフ状態からオン状態に切り替えるために、ユーザが押釦３１をストロークエンドまで押し込んだ状態を示している。このとき、駆動子２８の回転に応じて接点は閉極した状態となっている。また、駆動子２８の回転に応じてアーム２８ｅが上昇すると、アーム２８ｅの先端がテーパ面３２ｃに当たり、アーム２８ｅがテーパ面３２ｃを押す力によって、表示体３２がＯＮ位置に移動し、表示窓３１ａからＯＮ表示部３２ａが露出する。その後、ユーザが押釦３１から手を離すと、図１０（ｃ）に示すように、押釦３１は板ばね３０のバネ力を受けて復帰位置まで上昇する。この状態でもアーム２８ｅは表示体３２の端面に当接しており、表示体３２はＯＮ位置で留まり、表示窓３１ａからＯＮ表示部３２ａが露出する。なお、接点をオン状態からオフ状態に切り替えるために押釦３１が１回押操作されると、駆動子２８が反対方向に回転し、それに伴いアーム２８ｅが下降するので、表示体３２はコイルばね３３のバネ力を受けて、図１０（ａ）に示すＯＦＦ位置に復帰する。そして、表示体３２のＯＦＦ表示部３２ｂが表示窓３１ａから露出する状態となる。
【００３９】
ここで、開閉機構２６の動作について簡単に説明する。
【００４０】
先ず、図９に示すように駆動子２８が図中右回りに回転して、可動接点２５が固定接点４９に接触している状態で、ユーザが押釦３１を押操作したときの動作について説明する。尚、接点が閉極している状態で押釦３１を１回押す操作がオフ操作となる。押釦３１が押されていない状態では、板ばね３０によって押釦３１が上側に移動した状態となっている。この状態からユーザが押釦３１の上板部３１ｂを下向きに押し込むと、板ばね３０のバネ力に抗して押釦３１が下側に押し下げられ、押釦３１に保持されたスライドカム２９も下側に移動する。スライドカム２９が下降すると、図中左側のカム部２９ａが駆動子２８の左側の突起２８ｃに当たることで、駆動子２８を図中左回りに回転させる。このように駆動子２８が図中左回りに回転すると、可動接点板２４が図中右回りに回転して、可動接点２５が固定接点４９から開離した状態となる。このとき、コイルばね２７のバネ力によって、駆動子２８は、突起２８ｄに比べて突起２８ｃ側が下がった状態で保持され、可動接点板２４は右側に倒れた状態で保持される。また図１０（ａ）に示すように、駆動子２８の回転に応じてアーム２８ｅが下側に移動するので、コイルバネ３３のバネ力によって、表示体３２はＯＦＦ位置へ移動し、ＯＦＦ表示部３２ｂが表示窓３１ａから露出する。またユーザが押釦３１から手を離すと、板ばね３０のバネ力で押釦３１が上側に移動し、バネ片２９ｃのバネ力を受けてスライドカム２９は中央位置に復帰する。
【００４１】
次に、駆動子２８が図９中の左回りに回転して、可動接点２５が固定接点４９から離れている状態で、ユーザが押釦３１を押操作したときの動作について説明する。尚、接点が開極している状態で押釦３１を１回押す操作がオン操作となる。ユーザが押釦３１の上板部３１ｂを下向きに押し込むと、板ばね３０のバネ力に抗して押釦３１が下側に押し下げられ、押釦３１に保持されたスライドカム２９も下側に移動する。スライドカム２９が下降すると、図中右側のカム部２９ｂが駆動子２８の右側の突起２８ｄに当たることで、駆動子２８を図中右回りに回転させる。このように駆動子２８が図中右回りに回転すると、可動接点板２４が図中左回りに回転して、可動接点２５が固定接点４９に接触した状態となる。このとき、コイルばね２７のバネ力によって、駆動子２８は、突起２８ｃに比べて突起２８ｄ側が下がった状態で保持され、可動接点板２４は左側に倒れた状態で保持される。また図１０（ｃ）に示すように、駆動子２８の回転に応じてアーム２８ｅが上側に移動し、アーム２８ｅによってコイルバネ３３のバネ力に抗して表示体３２がＯＮ位置側へ押され、表示体３２がＯＮ位置まで移動するので、表示体３２のＯＮ表示部３２ａが表示窓３１ａから露出する。またユーザが押釦３１から手を離すと、板ばね３０のバネ力で押釦３１が上側に移動し、バネ片２９ｃのバネ力を受けてスライドカム２９は中央位置に復帰する。
【００４２】
このように、ユーザが押釦３１を１回押す毎に、開閉機構２６によって接点（固定接点４９及び可動接点２５からなる）がオンしている状態とオフしている状態とが交互に切り替えられるのである。
【００４３】
以上説明したように、本実施形態のテーブルタップは、器体１と、操作部（押釦３１）と、表示体３２とを備えている。器体１は、プラグの栓刃が接続される刃受け部材（本実施形態では刃受けばね４２及び刃受け部材４５）を収納する。押釦３１は、器体１の表面に操作部位（上板部３１ｂ）を露出させた状態で器体１に収納され、刃受け部材（刃受けばね４２及び刃受け部材４５）に給電する状態と給電を停止する状態とを切り替えるために操作される。表示体３２は、給電状態及び給電停止状態をそれぞれ表示する第１表示部（ＯＮ表示部３２ａ）及び第２表示部（ＯＦＦ表示部３２ｂ）を備えている。この表示体３２は、押釦３１の上板部３１ｂに設けられた表示窓３１ａに第１表示部が臨む位置と、表示窓３１ａに第２表示部が臨む位置との間でスライド移動自在に操作部（押釦３１）に設けられている。
【００４４】
これにより、器体１に操作部位を露出させた状態で収納された押釦３１に表示体３２を設けることで、負荷への電源供給をオン／オフするスイッチの状態が容易に判別できる。従来のピアノハンドルスイッチでは、器体１の前面に押釦３１を押すためのハンドルを別途設けており、このハンドルに表示体が設けられているが、本実施形態では、操作部位を露出させた状態で器体１に収納された押釦３１に表示体３２が設けられている。したがって、押釦３１を押すためのハンドルをさらに備える場合に比べて、部品数を少なくでき、負荷への電源供給をオン／オフするスイッチの状態が容易に判別できる安価なマルチタップを実現できる。さらに、表示体３２による表示には電力が不要であるから、省電力を図ることができる。
【００４５】
また本実施形態のテーブルタップでは、器体１に収納され外部電源から刃受け部材（刃受けばね４２及び刃受け部材４５）への給電経路に設けられた接点（固定接点４９及び可動接点２５からなる）と、器体１に収納され操作部（押釦３１）の操作に応じて接点のオン状態及びオフ状態を切り替える開閉機構２６とを備えている。
【００４６】
これにより、上述と同様、負荷への電源供給をオン／オフするスイッチの状態が容易に判別できる安価なマルチタップを実現できる。
【００４７】
また本実施形態のテーブルタップは、押圧部材（コイルばね３３）と、駆動部（アーム２８ｅ）とをさらに備えている。押圧部材は、第１表示部（ＯＮ表示部３２ａ）及び第２表示部（ＯＦＦ表示部３２ｂ）のうち何れか一方の表示部が表示窓３１ａに臨む位置に、表示体３２をスライド移動させる押力を表示体３２に常時付与する。アーム２８ｅは、開閉機構２６によって、一方の表示部に対応した接点状態とは異なる状態に接点が切り替えられると、操作部（押釦３１）側に移動し、押圧部材の押力に抗して表示体３２を反対方向にスライド移動させる。
【００４８】
これにより、開閉機構２６が接点のオン／オフを切り替える動作に連動して、表示体３２の表示を切り替えることができ、表示体３２による表示には電力が不要であるから、省電力を図ることができる。
【００４９】
また本実施形態のテーブルタップでは、操作部が、ユーザの押操作に応じて器体１の内側に押し込まれる押釦３１からなる。開閉機構２６は、固定接点４９と、可動接点２５が設けられた可動接触子（可動接点板２４）と、バネ部材（板ばね３０）と、スライドカム２９を備える。バネ部材は、押釦３１が器体１の内側に押し込まれると押釦３１を器体１の外側に押し返す弾性力を押釦に作用させる。駆動子２８は、可動接点２５が固定接点４９と接触する位置及び可動接点２５が固定接点４９から開離する位置の何れかに可動接触子を駆動する。スライドカム２９は、押釦３１が押し込まれる毎に駆動子２８を反転駆動させる。押釦３１は、バネ部材３０とスライドカム２９と表示体３２とを保持している。
【００５０】
これにより、表示体３２は押釦３１に組み込まれているから、従来のピアノハンドルスイッチのように押釦３１とは別に設けられたハンドルに表示体を設ける必要が無く、部品数を削減できる。また押釦３１にはバネ部材３０とスライドカム２９と表示体３２とが保持されているから、これらの部品を１つの部品として取り扱うことができ、組立作業性が向上する。
【００５１】
また本実施形態では、表示体３２をスライド移動自在に収納する収納溝３１ｈが操作部（押釦３１）に設けられ、収納溝３１ｈの内壁には、表示体３２と係合する凸部３１ｇが表示体３２のスライド方向に沿って設けられている。
【００５２】
これにより、表示体３２を押釦３１に取り付けるための部品を別途必要とせず、部品数を削減できる。
【００５３】
また本実施形態において、第１表示部（ＯＮ表示部３２ａ）及び第２表示部（ＯＦＦ表示部３２ｂ）のうち少なくとも何れか一方の表示部が蓄光材料で形成されてもよい。
【００５４】
図１１（ａ）は、ＯＮ表示部３２ａが蓄光材料で形成された形態を示し、表示体３２の他の部位とは異なる材料で形成されたＯＮ表示部３２ａは、接着などの方法で表示体３２に固定されている。
【００５５】
これにより、ＯＮ表示部３２ａの表示を暗所でも確認でき、刃受け部材に給電されている状態か給電停止状態かを容易に判別できる。尚、ＯＦＦ表示部３２ｂを蓄光材料で形成してもよいし、ＯＮ表示部３２ａ及びＯＦＦ表示部３２ｂを互いに発光色の異なる蓄光材料で形成してもよい。
【００５６】
また本実施形態において、第１表示部（ＯＮ表示部３２ａ）及び第２表示部（ＯＦＦ表示部３２ｂ）は、２色成型法を用いて表示体３２と一体に形成されていてもよい。
【００５７】
図１１（ｂ）は、ＯＮ表示部３２ａ及びＯＦＦ表示部３２ｂが２色成型法により形成された形態を示しており、２つの表示部３２ａ，３２ｂは２色成形法で１つの部品として形成されているので、部品数を低減することができる。
【００５８】
また本実施形態では、表示体３２によりオン／オフ表示を行っており、オン／オフ表示のためのランプを備えたものに比べて消費電力を低減できる。
【符号の説明】
【００５９】
１  器体
２０ａ，２０ｂ，２０ｃ  刃受けブロック
３１  押釦（操作部）
３１ａ  表示窓
３１ｂ  上板部
３２  表示体
３２ａ  ＯＮ表示部（第１表示部）
３２ｂ  ＯＦＦ表示部（第２表示部）
４２  刃受けばね（刃受け部材）
４５  刃受け部材
【図１】
0005662833.tif 000002
【図２】
0005662833.tif 000003
【図３】
0005662833.tif 000004
【図４】
0005662833.tif 000005
【図５】
0005662833.tif 000006
【図６】
0005662833.tif 000007
【図７】
0005662833.tif 000008
【図８】
0005662833.tif 000009
【図９】
0005662833.tif 000010
【図１０】
0005662833.tif 000011
【図１１】
0005662833.tif 000012